(57)【要約】【課題】吹きこぼれを抑えることができるとともに、容易に製造することができるインレットを提供すること。【解決手段】インレット３は、パイプ状に形成されるとともに重力方向に対して傾斜した傾斜部３ａを有する液体用のインレットであって、傾斜部３ａと対応した位置の内面の一部にウォッシャ液Ｗの流通方向に延びる凹部３ｄが形成される。【選択図】図３
2015196461.tif 000002
【特許請求の範囲】
【請求項１】
パイプ状に形成されるとともに重力方向に対して傾斜した傾斜部を有する液体用のインレットであって、
前記傾斜部と対応した位置の内面の一部には液体の流通方向に延びる凹部が形成されたことを特徴とするインレット。
【請求項２】
請求項１に記載のインレットにおいて、
前記凹部は、前記傾斜部と対応した位置の周方向の一部に形成された張り出し部の内面であることを特徴とするインレット。
【請求項３】
請求項２に記載のインレットにおいて、
前記張り出し部は、ブロー成形によって成形されたことを特徴とするインレット。
【請求項４】
請求項１乃至３のいずれか１項に記載のインレットにおいて、
前記凹部は、前記傾斜部の下流位置に形成されるとともに、前記傾斜部を流れる液体の水平方向成分に対する直交方向に形成されたことを特徴とするインレット。
【請求項５】
請求項１乃至４のいずれか１項に記載のインレットと、
前記インレットが連結されてウォッシャ液を貯留するタンク本体と
を備えたことを特徴とするウォッシャタンク。
【発明の詳細な説明】
【技術分野】
【０００１】
本発明は、液体用のインレット、及びウォッシャタンクに関するものである。
【背景技術】
【０００２】
従来、車両に設けられるウォッシャタンクには、ウォッシャ液を注ぐためのパイプ状のインレットを備えたものがある。そして、このようなインレットは、例えばエンジンルーム内のスペースに制約があることなどから、途中で屈曲されて重力方向に対して傾斜した傾斜部を有するものがある。そして、特に傾斜部を有するインレットでは、ウォッシャ液が重力方向に直進しないことによってウォッシャ液が部分的にインレットを塞いでタンク本体内の空気が外部に逃げられず、注ぎ中にウォッシャ液が吹きこぼれ易いといった虞があった。そこで、例えば、ウォッシャ液用の通路に対して空気用の通路（空気孔）を区画して並設し、タンク本体内の空気を良好に外部に逃がすものがある（例えば、特許文献１参照）。このようなインレットでは、注ぎ中にウォッシャ液が吹きこぼれることを抑えることができ、ウォッシャ液の注入速度を速めることができる。
【先行技術文献】
【特許文献】
【０００３】
【特許文献１】特開平６−１６１０８号公報
【発明の概要】
【発明が解決しようとする課題】
【０００４】
しかしながら、上記のようなインレットでは、ウォッシャ液用の通路に対して空気用の通路（空気孔）を区画して並設する構成であり、内部に区画壁を必要とするため、その製造が困難であった。
【０００５】
本発明は上記問題点を解消するためになされたものであって、その目的は、吹きこぼれを抑えることができるとともに、容易に製造することができるインレット、及びウォッシャタンクを提供することにある。
【課題を解決するための手段】
【０００６】
上記課題を解決するインレットは、パイプ状に形成されるとともに重力方向に対して傾斜した傾斜部を有する液体用のインレットであって、前記傾斜部と対応した位置の内面の一部には液体の流通方向に延びる凹部が形成される。
【０００７】
同構成によれば、傾斜部と対応した位置の内面の一部には液体の流通方向に延びる凹部が形成されるため、液体の注ぎ中に液体がインレットを塞いでしまうことが抑えられ、吹きこぼれを抑えることができる。しかも、凹部は特に区画壁を必要としないため、容易に製造することができる。
【０００８】
上記インレットにおいて、前記凹部は、前記傾斜部と対応した位置の周方向の一部に形成された張り出し部の内面であることが好ましい。
同構成によれば、凹部は、傾斜部と対応した位置の周方向の一部に形成された張り出し部の内面であるため、例えば、インレット全体の厚さを略均一にしながら凹部を形成することができ、厚さを予め厚くして凹部の部分だけ薄くした場合に比べて、材料の無駄を少なく製造することができる。
【０００９】
上記インレットにおいて、前記張り出し部は、ブロー成形によって成形されることが好ましい。
同構成によれば、張り出し部は、ブロー成形によって成形されるため、例えば、スライドコア等を用いることなく、張り出し部（凹部）を容易に製造することができる。
【００１０】
上記インレットにおいて、前記凹部は、前記傾斜部の下流位置に形成されるとともに、前記傾斜部を流れる液体の水平方向成分に対する直交方向に形成されることが好ましい。
同構成によれば、凹部は、傾斜部の下流位置に形成されるとともに、傾斜部を流れる液体の水平方向成分に対する直交方向に形成されるため、液体の注ぎ中に液体がインレットを塞いでしまうことを効果的に抑えることができる。即ち、傾斜部の下流位置では、傾斜部を流れる液体の水平方向成分によって液体が傾斜面の反対側まで勢い良く飛び出してその方向に関してインレットを塞ぐことが考えられるが、勢い良く飛び出す方向と直交する方向に凹部が形成されるため、該凹部は塞がれ難く、吹きこぼれを効果的に抑えることができる。
【００１１】
上記課題を解決するウォッシャタンクは、上記インレットと、前記インレットが連結されてウォッシャ液を貯留するタンク本体とを備える。
同構成によれば、上記した効果を有するウォッシャタンクを提供することができる。
【発明の効果】
【００１２】
本発明のインレット及びウォッシャタンクによれば、吹きこぼれを抑えることができるとともに、容易に製造することができる。
【図面の簡単な説明】
【００１３】
【図１】一実施形態におけるウォッシャタンクの斜視図。
【図２】図１におけるＡ−Ａ線に沿った断面図。
【図３】一実施形態におけるインレットの作用を説明するための模式断面図。
【図４】図３におけるＢ−Ｂ線に沿った断面図。
【図５】図３におけるＣ−Ｃ線に沿った断面図。
【発明を実施するための形態】
【００１４】
以下、ウォッシャタンクの一実施形態を図１〜図５に従って説明する。
図１に示すように、ウォッシャタンク１は、液体としてのウォッシャ液を貯留するタンク本体２と、タンク本体２に連結されたインレット３とを備える。又、タンク本体２の底部側にはウォッシャポンプ４が組み付けられている。ウォッシャポンプ４は、図示しないホースを介して車両のウォッシャノズルに連結され、駆動されるとタンク本体２に貯留されたウォッシャ液をウォッシャノズルに送給する。
【００１５】
インレット３は、パイプ状に形成されるとともに重力方向に対して傾斜した傾斜部３ａを有している。詳しくは、インレット３は、上端にキャップ５が取り付けられ、下端がタンク本体２に連結されている。そして、インレット３は上端から重力方向（下方）に延びる上段部３ｂと、上段部３ｂの下端から屈曲されて重力方向に対して傾斜して延びる前記傾斜部３ａと、前記傾斜部３ａの下端から屈曲されて重力方向に延びる下段部３ｃとを有している。
【００１６】
そして、図２に示すように、インレット３において傾斜部３ａと対応した位置の内面の一部には液体の流通方向（即ちインレット３の延びる方向）に延びる凹部３ｄが形成されている。
【００１７】
詳しくは、本実施形態の凹部３ｄは、傾斜部３ａと対応した位置の周方向の一部に形成された張り出し部３ｅの内面である。この張り出し部３ｅは、ブロー成形によって製造されている。又、凹部３ｄ（張り出し部３ｅ）は、傾斜部３ａの下流位置であって、傾斜部３ａの下側から下段部３ｃの下側まで重力方向に延びて形成されている。又、凹部３ｄ（張り出し部３ｅ）は、傾斜部３ａを流れるウォッシャ液Ｗの水平方向成分Ｆ１（図３及び図４参照）に対する直交方向に一対形成されている。尚、本実施形態の凹部３ｄの断面は、図２及び図４に示すように略半円形状に形成されている。
【００１８】
次に、上記のように構成されたウォッシャタンク１の作用について説明する。
図３に示すように、インレット３の上端からウォッシャ液Ｗが注がれると、そのウォッシャ液Ｗは、下方に流れ、傾斜部３ａの下端箇所であって下段部３ｃの上端箇所では、傾斜部３ａの傾斜面３ｆに沿って流れる際の水平方向成分Ｆ１によって、傾斜面３ｆの反対側まで勢い良く飛び出してその方向に関してはインレット３を塞ぐことがある。しかし、図４及び図５に示すように、ウォッシャ液Ｗは上記水平方向成分Ｆ１では凹部３ｄ内に浸入し難く、該凹部３ｄが空気用の通路として機能し、タンク本体２内の空気が外部に逃がされる（図５中、破線矢印参照）。これにより、タンク本体２内の空気がスムーズにウォッシャ液Ｗと置換され、注ぎ中にウォッシャ液Ｗが吹きこぼれることは抑えられる。
【００１９】
次に、上記実施の形態の特徴的な効果を以下に記載する。
（１）傾斜部３ａと対応した位置の内面の一部にはウォッシャ液Ｗの流通方向に延びる凹部３ｄが形成されるため、ウォッシャ液Ｗの注ぎ中にウォッシャ液Ｗがインレット３を塞いでしまうことが抑えられ、吹きこぼれを抑えることができる。しかも、凹部３ｄは特に区画壁を必要としないため、容易に製造することができる。
【００２０】
（２）凹部３ｄは、傾斜部３ａと対応した位置の周方向の一部に形成された張り出し部３ｅの内面であるため、例えば、インレット３全体の厚さを略均一にしながら凹部３ｄを形成することができ、厚さを予め厚くして凹部の部分だけ薄くした場合に比べて、材料の無駄を少なく製造することができる。
【００２１】
（３）張り出し部３ｅ（凹部３ｄ）は、ブロー成形によって成形されるため、例えば、スライドコア等を用いることなく、張り出し部３ｅ（凹部３ｄ）を容易に製造することができる。
【００２２】
（４）凹部３ｄは、傾斜部３ａの下流位置に形成されるとともに、傾斜部３ａを流れるウォッシャ液Ｗの水平方向成分Ｆ１に対する直交方向に一対形成されるため、ウォッシャ液Ｗの注ぎ中にウォッシャ液Ｗがインレット３を塞いでしまうことを効果的に抑えることができる。即ち、傾斜部３ａの下流位置では、傾斜部３ａ（傾斜面３ｆ）を流れるウォッシャ液Ｗの水平方向成分Ｆ１によってウォッシャ液Ｗが傾斜面３ｆの反対側まで勢い良く飛び出してその方向に関してインレット３を塞ぐことが考えられる。しかし、勢い良く飛び出す方向（前記水平方向成分Ｆ１）と直交方向に一対の凹部３ｄが形成されるため、該凹部３ｄは塞がれ難く、吹きこぼれを効果的に抑えることができる。
【００２３】
上記実施形態は、以下のように変更してもよい。
・上記実施形態では、凹部３ｄは、周方向の一部に形成された張り出し部３ｅの内面であるとしたが、これに限定されず、例えば、インレット３の外周は真円としながら内面に凹部を形成してもよい。
【００２４】
・上記実施形態では、張り出し部３ｅ（凹部３ｄ）は、ブロー成形によって成形されるとしたが、これに限定されず、他の成形方法にて成形してもよい。
・上記実施形態では、凹部３ｄは、傾斜部３ａの下流位置に形成されるとしたが、これに限定されず、傾斜部３ａと対応した他の位置に形成してもよい。例えば、傾斜部３ａの上部では注がれて落下してきたウォッシャ液Ｗがインレット３を塞ぐように跳ね返る可能性があるため、その位置の内面の一部に凹部を形成してもよい。
【００２５】
・上記実施形態では、凹部３ｄは、傾斜部３ａを流れるウォッシャ液Ｗの水平方向成分Ｆ１に対する直交方向に一対形成されるとしたが、これに限定されず、例えば、凹部３ｄを１つのみ形成してもよい。
【００２６】
・上記実施形態では、凹部３ｄの断面は、略半円形状に形成されるとしたが、これに限定されず、例えば方形形状に形成してもよい。さらに、凹部３ｄは、傾斜部３ａと対応した位置の内面の一部に、ウォッシャ液Ｗの水平方向成分Ｆ１に対する直交方向に一対形成したが、傾斜部３ａの下端箇所の内径よりも大径の断面形状を有する凹部を全周に亘って形成してもよい。
【００２７】
・上記実施形態では、インレット３を備えたウォッシャタンク１に具体化したが、これに限定されず、例えば、インレット３を備えた貯水タンクやリザーブタンク等に具体化してもよい。言い換えると、リザーブタンク等のウォッシャタンク１以外の液体用のタンクに接続されるインレット３としてもよい。
【符号の説明】
【００２８】
２…タンク本体、３…インレット、３ａ…傾斜部、３ｄ…凹部、３ｅ…張り出し部、Ｆ１…水平方向成分、Ｗ…ウォッシャ液（液体）。
【図１】
2015196461.tif 000003
【図２】
2015196461.tif 000004
【図３】
2015196461.tif 000005
【図４】
2015196461.tif 000006
【図５】
2015196461.tif 000007